(57)【特許請求の範囲】
【請求項１】
顕微鏡の観察像を撮影する撮像素子を有する撮影手段と、
前記撮影手段に接続される制御手段と、
を備える顕微鏡撮影装置において、
前記制御手段は、
前記撮影手段の設定を行う入力操作手段と、
前記撮影手段によって撮影された画像を表示する表示手段と、
外部制御手段とデータ通信を行うためのＰＣＩ／Ｆと、
前記入力操作手段および前記表示手段の前記顕微鏡撮影装置に対する接続状態を検出する接続検出手段と、
前記顕微鏡撮影装置の電源投入時に初期設定される観察像を撮影する撮影モード、撮影した画像を確認する再生モードおよび前記外部制御手段とデータ通信を行う通信モードを含む動作モードと、前記入力操作手段の接続状態および前記表示手段の接続状態とが対応づけられて成るテーブルが記憶される記憶手段と、
を有し、
前記顕微鏡撮影装置の電源投入時に、前記接続検出手段により前記表示手段及び前記入力操作手段のうち少なくともいずれか一方の手段の未接続が検出されると、前記初期設定される動作モードとして前記通信モードを決定する
ことを特徴とする顕微鏡撮影装置。
【請求項２】
前記接続検出手段は、さらに前記外部制御手段の接続状態を検出し、
前記テーブルにおいては、さらに、前記動作モードと、前記外部制御手段の接続状態とが対応づけられており、
前記制御手段は、前記顕微鏡撮影装置の電源投入時に、前記接続検出手段により前記外部制御手段の接続が検出されると、前記初期設定されるモードとして前記通信モードを決定することを特徴とする請求項１記載の顕微鏡撮影装置。
【請求項３】
前記接続検出手段は、さらに前記撮影手段の接続状態を検出し、
前記テーブルにおいては、さらに、前記動作モードと、前記撮影手段の接続状態とが対応づけられており、
前記制御手段は、前記顕微鏡撮影装置の電源投入時に、前記接続検出手段により前記撮像手段の未接続が検出されると、前記初期設定される動作モードとして前記再生モードを決定することを特徴とする請求項１または２記載の顕微鏡撮影装置。
【発明の詳細な説明】
【０００１】
【発明の属する技術分野】
本発明は、顕微鏡の観察像を撮影、記録する顕微鏡撮影装置に関するものである。
【０００２】
【従来の技術】
従来、顕微鏡に付属する周辺装置として、顕微鏡の観察像を撮影、記録する顕微鏡デジタルカメラなどの顕微鏡撮影装置が用いられている。
【０００３】
このような顕微鏡撮影装置では、所定の機能について誤動作せずに立ち上がるようにすることが重要であり、このような考えを採用したものとして、従来、特開平１０−１８９７００号公報に開示されたビデオカメラの信号からコントラストを計算することにより合焦位置を検出するオートフォーカス装置が知られている。
【０００４】
このオートフォーカス装置では、電源投入時にビデオカメラ信号の有無を検出し、ビデオカメラが接続されていれば、通常通り初期化してオートフォーカスを行い、ビデオカメラが接続されていなければ、エラーとして警告音を発するとともに、これ以降のオートフォーカス動作を行わないようにしている。これにより、誤ってビデオカメラが接続されていない場合に電源が投入され、顕微鏡の操作が行われた場合も、オートフォーカスの誤動作により標本や顕微鏡本体を破損するような恐れを回避できるようになっている。
【０００５】
【発明が解決しようとする課題】
ところが、上述した顕微鏡デジタルカメラなどの顕微鏡撮影装置については、観察像を撮影する撮影モード（以下、ＲＥＣモード）、記録した画像を確認する再生モード(以下、ＰＬＡＹモード)、さらにＰＣケーブルを接続してパソコンとの通信を行う通信モード（以下、ＰＣ通信モード）などの機能を備えており、このうちのＲＥＣモードでは、カメラヘッドが接続されていなければ、撮影動作は行えないが、ＰＬＡＹモードやＰＣ通信モードについては、カメラヘッドの接続に関係なく動作できることが必要である。
【０００６】
このことは、従来のオートフォーカス装置のようにビデオカメラが接続されていないと初期化を行わない考えのものでは、ＰＬＡＹモードやＰＣ通信モード対して必要な信号が入手できないためエラーとなってしまい、これらモードでの動作できなくなるという問題がある。
【０００７】
一方、顕微鏡デジタルカメラなどの顕微鏡撮影装置には、利便性のため、電源切断時に選択されていたモードに自動的に復帰するようにしたものがある。しかし、電源投入時と同時に前回の電源切断時に選択されていたモードが初期設定されると、例えば、カメラヘッドが接続されていないにもかかわらず、ＲＥＣモードで立ち上がったり、ＰＣ通信ケーブルを接続してＰＣ通信モードにしたい場合も、ＰＬＡＹモードで立ち上がってしまう。このように所望するモードで立ち上がらない場合は、モードを切換えて目的とするモードを設定する必要があり、かえって不便になることがある。特に、ＰＬＡＹモードで立ち上がった場合は、メディア内の画像読み出しが始まり、読み出しが終了するまではモードの切換えを受け付けられなくなるため、読み出す画像がサイズの小さなファイルの場合は問題ないが、例えば、３００万画素クラスのデジタルカメラで、非圧縮画像を読み出す場合には、数十秒〜数分もかかるため、モード切換えに時間がかかり、操作性を著しく損ねることがあった。
【０００８】
本発明は上記事情に鑑みてなされたもので、操作性の向上を図ることができる顕微鏡撮影装置を提供することを目的とする。
【０００９】
【課題を解決するための手段】
請求項１記載の発明は、顕微鏡の観察像を撮影する撮像素子を有する撮影手段と、前記撮影手段に接続される制御手段と、を備える顕微鏡撮影装置において、前記制御手段は、前記撮影手段の設定を行う入力操作手段と、前記撮影手段によって撮影された画像を表示する表示手段と、外部制御手段とデータ通信を行うためのＰＣＩ／Ｆと、前記入力操作手段および前記表示手段の前記顕微鏡撮影装置に対する接続状態を検出する接続検出手段と、前記顕微鏡撮影装置の電源投入時に初期設定される観察像を撮影する撮影モード、撮影した画像を確認する再生モードおよび前記外部制御手段とデータ通信を行う通信モードを含む動作モードと、前記入力操作手段の接続状態および前記表示手段の接続状態とが対応づけられて成るテーブルが記憶される記憶手段と、を有し、前記顕微鏡撮影装置の電源投入時に、前記接続検出手段により前記表示手段及び前記入力操作手段のうち少なくともいずれか一方の手段の未接続が検出されると、前記初期設定される動作モードとして前記通信モードを決定することを特徴としている。
【００１０】
請求項２記載の発明は、請求項１記載の発明において、前記接続検出手段は、さらに前記外部制御手段の接続状態を検出し、前記テーブルにおいては、さらに、前記動作モードと、前記外部制御手段の接続状態とが対応づけられており、前記制御手段は、前記顕微鏡撮影装置の電源投入時に、前記接続検出手段により前記外部制御手段の接続が検出されると、前記初期設定されるモードとして前記通信モードを決定することを特徴としている。
【００１１】
請求項３記載の発明は、請求項１記載の発明において、前記接続検出手段は、さらに前記撮影手段の接続状態を検出し、前記テーブルにおいては、さらに、前記動作モードと、前記撮影手段の接続状態とが対応づけられており、前記制御手段は、前記顕微鏡撮影装置の電源投入時に、前記接続検出手段により前記撮像手段の未接続が検出されると、前記初期設定される動作モードとして前記再生モードを決定することを特徴としている。
【００１２】
この結果、本発明によれば、各ユニットの接続状態を検出し、これらユニットの接続状態に応じて予め用意されたテーブルに従って、最適な動作モードによる初期設定を自動的に行うことができる。
【００１３】
【発明の実施の形態】
以下、本発明の実施の形態を図面に従い説明する。
【００１４】
(第１の実施の形態)
図１は、本発明の第１の実施の形態に適用される顕微鏡撮影装置としての顕微鏡デジタルカメラの全体構成を示している。
【００１５】
図において、１は観察者により操作され標本の観察を行うための顕微鏡で、この顕微鏡１に顕微鏡デジタルカメラ２が接続されている。この顕微鏡デジタルカメラ２は、顕微鏡１のカメラポートに取り付けられた撮影手段としてカメラヘッド３と、このカメラヘッド３にカメラヘッドケーブル４を介して接続される制御手段としてコントロールボックス５を有している。コントロールボックス５は、観察像を撮影するＲＥＣモード、記録した画像を確認するＰＬＡＹモード、パソコンとの通信を行うＰＣ通信モードなどの動作モードの設定を始め、画像の撮影、撮影画像の確認、カメラ設定などを行うものである。また、コントロールボックス５には、ビデオケーブル６を介して外部ＴＶモニタ７と、ＰＣ通信ケーブル８を介して外部制御手段としてパソコン（以下、ＰＣと称する。）９が接続され、カメラヘッド３で撮影した観察画像を外部ＴＶモニタ７に表示したり、ＰＣ９にダウンロードできるようになっている。
【００１６】
図２は、このような顕微鏡デジタルカメラ２の概略構成を示す図である。
【００１７】
この場合、カメラヘッド３は、顕微鏡１の観察画像を撮影する撮像素子としてＣＣＤ３０１、このＣＣＤ３０１の駆動パルスを発生するタイミングゼネレータ３０２、ＣＣＤ３０１からの出力画像をアナログ／デジタル変換するＡ／Ｄ変換器３０３を一体にして有している。
【００１８】
また、カメラヘッド３に接続されるコントロールボックス５は、カメラヘッド３のＡ／Ｄ変換器３０３を介して出力された画像データを受信するカメラヘッドＩ／Ｆ５０１、カメラヘッドＩ／Ｆ５０１を介して受信されたデジタル画像データを一時的に蓄えるＲＡＭ５０２、このＲＡＭ５０２のデータの書き込み／読み出しアドレスを管理するメモリコントローラ５０３、ＲＡＭ５０２に蓄えられた画像データを記録する記録媒体５０４、ＲＡＭ５０２に蓄えられたデジタル画像データを液晶モニタ５０６または外部ＴＶモニタ７に表示可能なアナログデータに変換するＤ／Ａ変換器５０５、このＤ／Ａ変換器５０５で変換された画像データを表示するための表示手段として液晶モニタ５０６、外部ＴＶモニタ７へのビデオケーブル６が接続される外部ビデオＩ／Ｆ５０７、ＰＣ９へのＰＣ通信ケーブル８が接続され、記録媒体５０４に記録されたデータをＰＣ９に読み出したり、ＰＣ９からカメラ制御のデータ通信を行うためのＰＣＩ／Ｆ５０８、観察者が顕微鏡デジタルカメラ２の各種操作および設定を行うための入力操作手段としてスイッチパネル(以下、ＳＷパネルと称する。)５０９、カメラヘッド３、液晶モニタ５０６、外部ビデオＩ／Ｆ５０７（ビデオケーブル６）、ＰＣＩ／Ｆ５０８（ＰＣ通信ケーブル８）などの各ユニットの接続状態を検出する接続検出手段５１０およびこの接続検出手段５１０からの接続状態の検出信号を基に顕微鏡デジタルカメラ２としての動作モードを予め決められたモードに初期設定するとともに、装置全体の制御を指示する制御装置５１１などのを一体に有している。この制御装置５１１は、後述する電源の投入時に初期設定される動作モードの優先順位を各ユニットの接続状態に関連付けて記憶したテーブルを記憶する記憶手段を有している。
【００１９】
ここで、接続検出手段５１０での各ユニットの接続状態の具体的検出方法として、カメラヘッド３の検出は、カメラヘッド３からの画像信号の有無を検出するセンサの出力や、カメラヘッド３が接続されることで電圧レベルが確定する端子の電圧をモニタする方法が用いられ、液晶モニタ５０６、ＳＷパネル５０９の検出は、これらユニットが接続されることで電圧レベルが確定する端子の電圧をモニタする方法が用いられる。ここで、液晶モニタ５０６が収納可能なもので、収納されているか否か（ノート型パソコンのようにＳＷパネル５０９を覆うような形で収納されているとき）を検出するには、液晶モニタ５０６が収納された状態を検出する光学式や磁気式のセンサの出力や液晶モニタ５０６の一部が機械的にスイッチを押すことによる出力をモニタする方法が用いられる。また、外部ビデオＩ／Ｆ５０７、ＰＣＩ／Ｆ５０８の検出は、ビデオケーブル６およびＰＣ通信ケーブル８の挿入を検出するスイッチ回路を内蔵したコネクタを使用したり、ビデオケーブル６およびＰＣ通信ケーブル８が接続されることによる線路のインピーダンスの変化を検出する方法などが用いられる。
【００２０】
図３は、ＳＷパネル５０９の概略構成を示すもので、本実施の形態の操作に関係あるスイッチとして、モードスイッチ５０９ａ、コントロールパネル５０９ｂ、ＥＸＰＯＳＥスイッチ５０９ｃ、メニュースイッチ５０９ｄ、十字スイッチ５０９ｅ、ＳＥＴ／ＯＫスイッチ５０９ｆを有している。
【００２１】
このようなＳＷパネル５０９を用いて撮影操作を行うには、まず、観察者は、図示しない電源スイッチを操作して電源を投入する。次に、モードスイッチ５０９ａを操作してＲＥＣモードまたはＰＬＡＹモードを選択する。この場合、ＲＥＣモードには、カメラヘッド３の露出時間を設定をマニュアルで切りかえることができるマニュアルＲＥＣモードと露出時間の設定を自動で行うオートＲＥＣモードがあり、観察者は、さらにモードスイッチ５０９ａを操作して一方のＲＥＣモードを設定する。この時の設定モードは、コントロールパネル５０９ｂ上にモードを示す矢印などで表示される。
【００２２】
この状態で、カメラヘッド３を通して取得される標本の観察画像を液晶モニタ５０６に表示し、これを見ながら顕微鏡１の操作を行うとともに、図示しないスイッチの操作により撮影画像のフレーミングおよびフォーカスを行う。そして、撮影可能になったところで、ＥＸＰＯＳＥスイッチ５０９ｃを操作する。これにより、カメラヘッド３による撮影が行われ、この撮影された観察像は、図２に示すＲＡＭ５０２に一時蓄えられた後、記録媒体５０４に記録される。この場合、カメラヘッド３での撮影に関する記録画質モード、時刻設定、ＩＳＯなどの設定は、メニュースイッチ５０９ｄの操作により液晶モニタ５０６上に表示されるメニューを十字スイッチ５０９ｅとＳＥＴ／ＯＫスイッチ５０９ｆを操作することで決定する。また、撮影画像を確認したい場合は、モードスイッチ５０９ａを操作してＰＬＡＹモードを選択する。このＰＬＡＹモードでは、撮影済みの観察画像が記録媒体５０４から読み出され、液晶モニタ５０６上に表示される。
【００２３】
このようにしてモードスイッチ５０９ａの操作によりＲＥＣモードやＰＬＡＹモードなど各種モードを切換えることができるが、本実施の形態では、電源を再投入した時に初期設定されるモードを、以下述べるようにして決定している。
【００２４】
図４は、電源を投入した時に初期設定される動作モードの優先順位を各ユニットごとに記憶したテーブルで、制御装置５１１の図示しない記憶手段に予め記憶されている。この場合、テーブルの列方向の項目は、例えば、接続検出手段５１０で検出されるＳＷパネル５０９、液晶モニタ５０６、液晶モニタ５０６の収納、ＰＣ通信ケーブル８およびカメラヘッド３などの各検出ユニットで、行方向の項目は、初期設定を優先する順位である。そして、このテーブルの要素は、それぞれのユニットが接続／未接続だった場合にどの動作モードが初期設定されるか、すなわち顕微鏡デジタルカメラ２がどの動作モードで初期設定されるかを示している。
【００２５】
例えば、電源投入時、ＳＷパネル５０９が未接続の場合は、カメラヘッド３の操作は、ＰＣ通信ケーブル８を介してＰＣ９により行うことしかできないため、ＰＣ通信モードで初期化されることになる。同様に、液晶モニタ５０６が接続されていない場合は、撮影用のフレーミング、フォーカシングを始め、撮影した画像の確認は行えないため、この場合もＰＣ通信ケーブル８を介してＰＣ９のモニタ上で確認すると判断してＰＣ通信モードで初期化される。さらに、液晶モニタ５０６がノート型パソコンのようにＳＷパネル５０９を覆うような形で収納されているときも、ＰＣ通信ケーブル８を介してＰＣ９側でスイッチ操作、画像の認識などを行うものと判断してＰＣ通信モードで初期化される。そして、カメラヘッド３が接続されていない場合は、ＰＬＡＹモードでしか使用できないので、ＰＬＡＹモードで初期化される。また、以上の項目に当てはまらない場合は、通常モードとして、前回、電源切断時に使用されていたモードで初期化されるようになっている。
【００２６】
次に、このようなテーブルを使用して電源投入時の初期化（動作モードの初期設定）を行う具体例を図５に示すフローチャートに従い説明する。
【００２７】
この場合、図示しない電源スイッチを操作して電源を投入すると、ステップＳ５０１で、接続検出手段５１０は、コントロールボックス５への、ＳＷパネル５０９、カメラヘッド３、液晶モニタ５０６、外部ビデオＩ／Ｆ５０７（ビデオケーブル６）、ＰＣＩ／Ｆ５０８（ＰＣ通信ケーブル８）などの各ユニットの接続状態を検出する。そして、ステップＳ５０２で、ＳＷパネル５０９が検出されているかを判断する。ここで、ＳＷパネル５０９が検出されない場合は、図４に示したテーブルを参照してＰＣ通信モードを判断し、ステップＳ５０３で、ＰＣ通信モードにより初期化を行い、処理を終了する。一方、ＳＷパネル５０９が検出されている場合は、ステップＳ５０４に進み、今度は、液晶モニタ５０６が検出されているかを判断する。ここで、液晶モニタ５０６が検出されない場合は、図４に示したテーブルを参照してＰＣ通信モードを判断し、ステップＳ５０３で、ＰＣ通信モードにより初期化を行い、処理を終了する。
【００２８】
ステップＳ５０４の判断で、液晶モニタ５０６が検出されている場合は、ステップＳ５０５に進み、今度は、液晶モニタ５０６が収納されているかを判断する。ここで、液晶モニタ５０６が収納されている場合は、図４に示したテーブルを参照してＰＣ通信モードを判断し、ステップＳ５０３で、ＰＣ通信モードにより初期化を行い、処理を終了する。
【００２９】
ステップＳ５０５の判断で、液晶モニタ５０６が収納されていない場合は、ステップＳ５０６に進み、ＰＣ通信ケーブル８が検出されているか判断する。ここで、ＰＣ通信ケーブル８が検出されている場合は、図４に示したテーブルを参照してＰＣ通信モードを判断し、ステップＳ５０３で、ＰＣ通信モードにより初期化を行い、処理を終了する。
【００３０】
ステップＳ５０６の判断で、ＰＣ通信ケーブル８が検出されない場合は、ステップＳ５０７に進み、カメラヘッド３が検出されているか判断する。ここで、カメラヘッド３が検出されない場合は、図４に示したテーブルを参照してＰＬＡＹモードを判断し、ステップＳ５０８で、ＰＬＡＹモードにより初期化を行い、処理を終了する。
【００３１】
そして、ステップＳ５０７の判断で、カメラヘッド３が検出された場合は、ステップＳ５０９に進み、通常モードとして、前回、電源切断時に使用されていたモードで初期化を行い、処理を終了する。
【００３２】
従って、このようにすれば、電源投入時の各ユニットの接続状態を検出し、これらユニットの接続状態に応じて予め用意されたテーブルに従って、最適なモードによる初期設定を自動的に行うことができるので、余分な操作を必要としないことから操作が簡単になり、操作性の向上を図ることができる。
【００３３】
また、所望するモード以外が初期設定されることがなくなるので、無駄なモード切変え時間が発生せず、操作時間を短縮できるとともに、撮影、観察のスループットを向上させることができる。
【００３４】
(第２の実施の形態)
図６は、本発明の第２の実施の形態の顕微鏡デジタルカメラ２の概略構成を示すもので、図２と同一部分には、同符号を付している。
【００３５】
この場合、コントロールボックス５は、不揮発性メモリからなる設定記憶部５１２を設けるようにしている。この設定記憶部５１２は、図４で述べたような初期設定されるモードの優先順位を設定したテーブルを記憶するもので、観察者により初期設定モード、すなわち顕微鏡デジタルカメラがどの動作モードで初期化されるかの設定、変更を可能にしている。例えば、ＰＣ通信ケーブル８を接続したままで、観察像の撮影を図３に示すＳＷパネル５０９のＥＸＰＯＳＥスイッチ５０９ｃにより行うとともに、撮影画像をＰＣ通信によりＰＣ９に取り込んで確認したいような場合は、図４で述べたテーブルの一部を図７に示す斜線部分のように変更できるようになっている。
【００３６】
この場合、観察者は、まず、図３に示すＳＷパネル５０９のメニュースイッチ５０９ｄを操作して、図８に示すように液晶モニタ５０６上にメニュー画面を表示させ、このメニューの中から初期設定モードの設定を十字スイッチ５０９ｅなどを用いてハイライトさせＳＥＴ／ＯＫスイッチ５０９ｆを操作する。すると、図９に示すように液晶モニタ５０６上には初期設定モード設定用のサブメニューが表示される。この初期設定モード設定用のサブメニューは、図４で述べたテーブルに対応するもので、列方向の項目は、接続検出手段５１０で検出される各ユニットで、行方向の項目は、初期設定の優先順位である。ここで、図面中の太枠のカーソル１１で表示される部分が入力可能な要素を示している。この太枠のカーソル１１の位置は、十字スイッチ５０９ｅを上下左右に移動させることにより、任意の要素を指定できるようになっている。
【００３７】
この状態で、初期設定モード設定用サブメニュー上で太枠のカーソル１１の位置を選択してＳＥＴ／ＯＫスイッチ５０９ｆを操作する。すると、図１０に示す画面が表示され、選択した要素に対する変更、設定を行うことが可能になる。この場合、選択した要素が示すユニットの検出のあり／なしを選択する。これも十字スイッチ５０９ｅの上下方向のスイッチ操作により太枠のカーソル１１を移動し、ＳＥＴ／ＯＫスイッチ５０９ｆにより決定する。これにより、図１１に示す初期設定モードの設定画面が表示される。この画面中には、ＰＣ通信、ＲＥＣ、ＰＬＡＹ、ｄｅｆａｕｉｔが表示され、それぞれＰＣ通信モード、ＲＥＣモード、ＰＬＡＹモード、ｄｅｆａｕｉｔ(通常の初期化と同様、前回の電源切断時と同じモードが初期設定される)が設定できるようになっている。
【００３８】
この場合、太枠のカーソル１１を移動してＲＥＣモードを選択してＳＥＴ／ＯＫスイッチ５０９ｆを操作する。すると、図１２に示す画面に戻り、選択された要素に対して設定される初期モード（ＲＥＣモード）が表示され、図４で述べたテーブルの一部が図７に示すように変更されることになる。そして、この変更されたテーブルは、設定記憶部５１２に記憶され、次回の電源投入時から初期化に使用される。これにより、これ以降、ＰＣ通信ケーブル８が検出されている場合は、図７に示すテーブル参照によりＲＥＣモードを判断し、顕微鏡デジタルカメラ２は、ＲＥＣモードにより初期化される。
【００３９】
なお、上述では、優先順位のテーブルの要素の一部を変更する場合を述べたが、図１１に示す初期設定モードの設定画面を用いて、ＰＣ通信モード、ＲＥＣモード、ＰＬＡＹモード、ｄｅｆａｕｉｔの設定を繰り返して行えば、優先順位のテーブルの全てについて、初期設定モードの設定を行うことができる。
【００４０】
従って、このようにすれば、初期設定モードの優先順位を設定したテーブルを記憶する設定記憶部５１２を設けるとともに、観察者によってテーブル内容の設定、変更を可能にしたので、観察者毎に使用条件に合った初期設定を行うことができるようになる。これにより、毎回同様な操作を繰り返す、例えば、半導体の検査工程などに適用すれば、作業内容を簡単にでき、作業効率の向上を図ることができる。
【００４１】
なお、上述した各実施の形態では、初期設定モードの優先順位を設定したテーブルは、１種類のみであるが、複数種類のテーブルを用意して、これらテーブルを観察条件や観察者によって切換えて使用するようにしてもよい。また、テーブルは、記録媒体５０４に保存して読み出すようにしてもよい。さらに、上述では、カメラヘッド３の撮像素子としてＣＣＤを用いたが、これ以外の撮像素子としてＣＭＤなどを用いることもできる。さらに、上述した接続検出手段５７０は、ハードウェアにより各ユニットの接続状態を検出する場合を述べたが、ソフトウェアにより任意のレジスタにデータをライトし、リードすることで接続状態を確認するようにもできる。
【００４２】
なお、上述した実施の形態には、以下の発明も含まれる。
【００４３】
（１）請求項１記載の顕微鏡撮影装置において、
前記各種のユニットの一つとして前記表示手段は収納が可能であり、
前記接続検出手段は前記表示手段の収納状態を検出する機能を更に有し、
前記テーブルは、前記表示手段の収納状態と前記顕微鏡撮影装置の電源投入時に初期設定される動作モードとを対応づける情報を含むことを特徴としている。
【００４４】
こうすれば、観察者によってテーブル内容の設定、変更を可能にできるので、観察者毎に使用条件に合った初期設定を行うことができる。
【００４５】
【発明の効果】
以上述べたように本発明によれば、操作性の向上を図ることができる顕微鏡撮影装置を提供できる。
【図面の簡単な説明】
【図１】本発明の第１の実施の形態の全体構成を示す図。
【図２】第１の実施の形態のに適用される顕微鏡デジタルカメラの概略構成を示す図。
【図３】第１の実施の形態に用いられるＳＷパネルの概略構成を示す図。
【図４】第１の実施の形態に用いられる初期設定されるモードの優先順位を記憶したテーブルを示す図。
【図５】第１の実施の形態の動作を説明するフローチャート。
【図６】本発明の第２の実施の形態のに適用される顕微鏡デジタルカメラの概略構成を示す図。
【図７】第２の実施の形態に用いられる初期設定されるモードの優先順位を記憶したテーブルを示す図。
【図８】第２の実施の形態の初期設定モード設定のメニュー画面を示す図。
【図９】第２の実施の形態の初期設定モードの設定を説明する図。
【図１０】第２の実施の形態の初期設定モードの設定を説明する図。
【図１１】第２の実施の形態の初期設定モードの設定を説明する図。
【図１２】第２の実施の形態の初期設定モードの設定を説明する図。
【符号の説明】
１…顕微鏡
２…顕微鏡デジタルカメラ
３…カメラヘッド
４…カメラヘッドケーブル
５…コントロールボックス
６…ビデオケーブル
７…ＴＶモニタ
８…ＰＣ通信ケーブル
９…ＰＣ
１１…カーソル
３０１…ＣＣＤ
３０２…タイミングゼネレータ
３０３…Ａ／Ｄ変換器
５０１…カメラヘッドＩ／Ｆ
５０２…ＲＡＭ
５０３…メモリコントローラ
５０４…記録媒体
５０５…Ｄ／Ａ変換器
５０６…液晶モニタ
５０７…外部ビデオＩ／Ｆ
５０８…ＰＣＩ／Ｆ
５０９…ＳＷパネル
５０９ａ…モードスイッチ
５０９ｂ…コントロールパネル
５０９ｃ…ＥＸＰＯＳＥスイッチ
５０９ｄ…メニュースイッチ
５０９ｅ…十字スイッチ
５０９ｆ…ＳＥＴ／ＯＫスイッチ
５１０…接続検出手段
５１１…制御装置
５１２…設定記憶部
【図１】
0004831877.tif 000002
【図２】
0004831877.tif 000003
【図３】
0004831877.tif 000004
【図４】
0004831877.tif 000005
【図５】
0004831877.tif 000006
【図６】
0004831877.tif 000007
【図７】
0004831877.tif 000008
【図８】
0004831877.tif 000009
【図９】
0004831877.tif 000010
【図１０】
0004831877.tif 000011
【図１１】
0004831877.tif 000012
【図１２】
0004831877.tif 000013